(57)【要約】      （修正有）【課題】容易に分解可能でかつ組立施工ができるのみならず床に固定される基台部分を除いて、支持柱、梁部材、屋根部材等の部材を全て再利用することが可能であり、特に移設等の必要性が予め考慮されるチェーンストア展開する店舗やコンビニ店舗等において好適に用いられる分解可能な建築構造を提供する。【解決手段】床に固定設置され上部に柱受け部を有する基台と、該柱受け部のそれぞれに下端部が着脱可能に取付けられる支持柱と、該支持柱の上部に設けられた梁受け部と、該梁受け部に着脱可能に取付けられる梁部材と、該梁部材に着脱可能に取付けられる屋根部材と、該基台の上面でかつ柱受け部の外側に立設されるパネル受け台と、該パネル受け台の上部に着脱自在に取付けられる外壁パネルと、を含み、前記基台が鉄骨を上面四角形状に設置してなる基礎鉄骨を基礎コンクリートで固定した構造を有するようにした。【選択図】図１
0003150342.tif 000002
【実用新案登録請求の範囲】
【請求項１】
床に固定設置され、上部に柱受け部を有する基台と、
該柱受け部のそれぞれに下端部が着脱可能に取付けられる支持柱と、
該支持柱の上部に設けられた梁受け部と、
該梁受け部に着脱可能に取付けられる梁部材と、
該梁部材に着脱可能に取付けられる屋根部材と、
該基台の上面でかつ柱受け部の外側に立設されるパネル受け台と、
該パネル受け台の上部に着脱自在に取付けられる外壁パネルと、
を含み、
前記基台が鉄骨を上面四角形状に設置してなる基礎鉄骨を基礎コンクリートで固定した構造を有し、
前記柱受け部のそれぞれに支持柱を着脱可能に取付け、
前記パネル受け台のそれぞれに外壁パネルを着脱自在に取付け、
前記取付けられた支持柱の梁受け部に屋根部材を着脱可能に取付けることにより、
前記支持柱、梁部材、外壁パネル及び屋根部材が分解かつ移設可能に構成されたことを特徴とする分解可能な建築構造。
【考案の詳細な説明】
【技術分野】
【０００１】
本考案は、支持柱、梁部材、屋根部材等を分解移設して再利用することを可能とした分解可能な新規な建築構造、特に移設等の必要性が予め考慮されるチェーンストア展開する店舗やコンビニ店舗等において好適に用いられる分解可能な建築構造に関する。
【背景技術】
【０００２】
従来、チェーンストア展開する店舗やコンビニ店舗等を設置するにあたっては、基礎に柱を固設した後、該固設した柱に梁を取り付け、該梁に屋根部を取付けることで店舗を構築していた。しかし、支持柱、梁部材、屋根部材等を構築するにあたっては、材料費、工事費用や作業代などから、多額の設備投資が必要であり、また、工事も大がかりなものとなるため、工期も比較的長くならざるをえなかった。
【０００３】
本出願人らは、工期短縮などを目的として、建物上屋の施工方法（特許文献１）を提案し好評を得ている。また、例えば、屋根部への給油関連設備の設置が安全かつ経済的に実施できるキャノピーの構築方法（特許文献２）が提案されている。
【０００４】
これらいずれの従来技術も、キャノピー等の建築物を一度施工してしまうと、該建築物を施工した店舗が閉店したとしても、そのまま廃棄処分としていた。特に、近年では、環境への配慮のため、すべての廃材を分類して廃棄しないといけないため、解体作業が大変であり、解体費用が従来の少なくとも３倍程かかるようになってきているという問題もあった。このため、本願出願人は、容易に組立施工ができるのみならず、移設して再利用することが可能なガソリンスタンド用キャノピー構造についての提案も行った（特許文献３）。
【０００５】
さらに、最近は、チェーンストア展開する店舗やコンビニ店舗等が設置される例が増加しているが、景気の変動等によってこれらの店舗の廃止や移設が行われることも多くなり、特に鉄材料等の材料費が高騰しているため、床に固定される基台部分を除いて、支持柱、梁部材、屋根部材等の部材を全て再利用することが要望されてきている。
【先行技術文献】
【特許文献】
【０００６】
【特許文献１】特許２８１８７２９号
【特許文献２】特開平９−２５６４７４
【特許文献３】実用新案登録第３１３０９０８号
【考案の概要】
【考案が解決しようとする課題】
【０００７】
本考案は、上記した問題点に鑑みなされたもので、容易に分解可能でかつ組立施工ができるのみならず、床に固定される基台部分を除いて、支持柱、梁部材、屋根部材等の部材を全て再利用することが可能であり、特に移設等の必要性が予め考慮されるチェーンストア展開する店舗やコンビニ店舗等において好適に用いられる分解可能な建築構造を提供することを目的とする。
【課題を解決するための手段】
【０００８】
上記の目的を達成する為に、本考案の分解可能な建築構造は、
床に固定設置され、上部に柱受け部を有する基台と、
該柱受け部のそれぞれに下端部が着脱可能に取付けられる支持柱と、
該支持柱の上部に設けられた梁受け部と、
該梁受け部に着脱可能に取付けられる梁部材と、
該梁部材に着脱可能に取付けられる屋根部材と、
該基台の上面でかつ柱受け部の外側に立設されるパネル受け台と、
該パネル受け台の上部に着脱自在に取付けられる外壁パネルと、
を含み、
前記基台が鉄骨を上面四角形状に設置してなる基礎鉄骨を基礎コンクリートで固定した構造を有し、
前記柱受け部のそれぞれに支持柱を着脱可能に取付け、
前記パネル受け台のそれぞれに外壁パネルを着脱自在に取付け、
前記取付けられた支持柱の梁受け部に屋根部材を着脱可能に取付けることにより、
前記支持柱、梁部材、外壁パネル及び屋根部材が分解かつ移設可能に構成されたことを特徴とする。
【０００９】
このように構成することで、従来は、チェーンストア展開する店舗やコンビニ店舗等が営業を廃止して、その店舗が不要となると、店舗構造をそのまま廃棄処分としていたが、床に固定される基台部分を除いて、店舗構造の主たる材料である、支持柱、梁部材、外壁パネル、屋根部材等の部材を全て分解して別の新たな店舗などへ移設して再利用することができ、材料費の節減を図ることができ、かつ廃止店舗設置場所には基台部分だけが残されるもので、廃止店舗の跡地の利用にも好都合であるという利点がある。
【００１０】
本考案においては、前記基台が鉄骨を四角形状に設置してなる基礎鉄骨を基礎コンクリートで固定した構造を有する点が最大の特徴である。つまり、鉄骨を周回させこれを基礎コンクリートで固定するという従来にない新規な基礎構造とすることによって、基礎構造の設置作業が簡易化されかつ鉄骨の周回構造とすることで耐震強度が向上し、このため従来は地盤が軟弱な場合に必須であった基礎杭の打ち込みを省略することができ、基礎構造の設置費用が大幅に節減されるという大きな効果を達成することが可能となる。
【００１１】
前記支持柱、梁部材及び外壁パネルの材質としてはアルミ、軽量鉄骨などで構成でき、特にアルミで構成すると、軽量で塗装が不要であるという利点があるので好ましい。
【００１２】
前記梁部材に前記屋根部材を取付ける構造としては、前記梁部材の上部に設けられた屋根部材受け部を介して取付けられればよいものである。
【００１３】
前記屋根部材の形状としては、特に限定はないが、例えば十分な強度があるルーフデッキが好適である。屋根部材の材質としては、亜鉛鉄板、カラー鋼板、塩ビ鋼板、カラーステンレス等が適用できる。
【考案の効果】
【００１４】
本考案の分解可能な建築構造によれば、容易に分解可能でかつ組立施工ができるのみならず、床に固定される基台部分を除いて、支持柱、梁部材、外壁パネル、屋根部材等の部材を全て再利用することが可能であり、特に移設等の必要性が予め考慮されるチェーンストア展開する店舗やコンビニ店舗等において好適に用いられるという著大な効果が達成される。
【００１５】
また、従来は、店舗を構成する構造体の支持柱、梁部材、外壁パネル、屋根部材等の部材は廃棄処分としていたものが、分解して移設して再利用可能であり、廃棄する必要がなくなるため、従来の分類廃棄などの問題も解消されるとともに、原料費及び材料費を大幅に削減できるものである。
【図面の簡単な説明】
【００１６】
【図１】本考案に係る分解可能な建築構造の一つの実施の形態を示す一部を断面した側面概略説明図である。
【図２】図１に示した構造の要部を拡大して示す説明図である。
【図３】図２に示した構造の基台部分をさらに拡大して示す要部拡大断面図である。
【図４】図３に示した構造の基台部分を示す斜視説明図である。
【図５】本考案に係る分解可能な建築構造の一つの実施の形態における基台部分を摘示して示す平面説明図である。
【図６】図１の要部の摘示拡大図である。
【考案を実施するための形態】
【００１７】
以下に本考案の実施の形態を添付図面に基づいて説明するが、本考案の技術思想から逸脱しない限りこれらの実施の形態について種々の変更又は変形が可能なことは言うまでもない。
【００１８】
図１〜図３において、１０は本考案に係る分解可能な建築構造である。本考案の分解可能な建築構造１０は、図１〜図５に示される如く、床Ｌに固定設置された上面四角形状の基台１２を有している。図５によく示されるように、該基台１２は長尺のＨ鋼１３及び鉄筋１５を図６に示したように組み合わせて四角形状に配置して構成された上面四角形状の基礎鉄骨構造体１３Ａと該基礎鉄骨構造体１３Ａを埋設するように投入設置されるコンクリート基礎Ｋとを有している。該コンクリート基礎Ｋは、基礎砕石層Ｇ、該基礎砕石層Ｇの上面に設けられた捨てコンクリート層Ｈ、及び該捨てコンクリート層Ｈの上面に設けられた基礎コンクリート層Ｉから構成されている。
【００１９】
図１〜図４に示されるように、該基台１２の上部には柱受け部１４が設けられている。該柱受け部１４は上記上面四角形状の基台１２の隅角部には少なくとも設けられ、その他の個所には必要に応じて適宜間隔をおいて設置するようにすればよい。１６は支持柱で、該柱受け部１４に着脱可能に取付けられる。該支持柱１６の上部には梁受け部１８が設けられている。２０は梁部材で、該梁受け部１８に着脱可能に取付けられる。２２は屋根部材で、該梁部材２０に着脱可能に取付けられる。２４はパネル受け台で、前記基台１２の上面でかつ柱受け部１４の外側に立設されている。該パネル受け台２４の上部にはパネル２６が取り付けられ、建築構造１０の外壁パネルとして作用する。なお、図面において基台１２の外側には地盤砕石層Ｊが設けられかつ該地盤砕石層Ｊの上面には地盤コンクリートＦが設けられている。
【００２０】
まず、上述したように、前記上面四角形状の基台１２を床Ｌに固定設置する。ついで、前記支持柱１６の下端部を前記基台１２の柱受け部１４にボルトネジ等の締付具で着脱可能に取付けることによって、該支持柱１６を立設する。この立設された支持柱１６の上部の梁受け部１８に梁部材２０をボルトネジ等の締付具で着脱可能に取付ける。この梁部材２０だけでは、強度的に十分でない場合もあるので、梁部材２０を横架して複数個の補助梁部材（図示せず）を配置し、さらに複数本の水平ブレーズ（図示せず）を配置することにより、梁部分の強度を向上させることができる。なお、梁部材２０が短尺の場合には梁部材２０同士を着脱可能に接合（図示せず）することもできる。
【００２１】
上記した様に、梁部材２０、補助梁部材及び水平ブレーズを配置して梁部分の強度を十分とした後、梁部材２０に屋根部材２２をボルトネジ等の締付具で着脱可能に取付ける。この屋根部材２２としては、その強度との関係で、屋根部材２２を支持する梁部材２０を屋根部材２２の下側のほぼ全面にわたって配設するのが通常であるが、屋根部材２２としてルーフデッキ等の強度の高い材料を使用すれば、屋根部材２２の端部部分には梁部材２０を設置しなくても屋根部材２２が垂れ下がるというような事故が発生する虞はなく、梁部材２０等の屋根部材２２の支持材料を節約できるという利点がある。
【００２２】
上記のような構成を採用することによって、建築構造１０が分解可能かつ移設可能に構成される。つまり、支持柱１６、梁部材２０、外壁パネル２６、補助梁部材、水平ブレーズ及び屋根部材２２は分解可能であり、他の店舗等に移設可能である。但し、基台１２は床に固定設置されているため、分解及び移設は不可能であり、解体して廃棄処分されることとなる。そして、この建築構造１０を店舗用建築物として設置してチェーンストアやコンビニ用店舗として使用し、不要になったら分解して別の店舗へ移設して再利用することが可能である。
【００２３】
以上のように、本考案の分解可能な建築構造は、上記のように構成されているので、ボルト等の締付具さえ外せば簡単に分解でき、基台を除いてその他の部材、例えば支持柱、梁部材、屋根部材等を全て容易に持ち運ぶことが可能となるので、材料費の節約になり、廃棄処分の手間が省けるという利点がある。また、材料も軽量鉄骨やアルミ板を用いて構成すれば、軽量で持ち運びがより容易になるという利点がある。
【符号の説明】
【００２４】
１０：建築構造、１２：基台、１３Ａ：基礎鉄骨構造体、１３：Ｈ鋼、１４：柱受け部、１５：鉄筋、１６：支持柱、１８：梁受け部、２０：梁部材、２２：屋根部材、２４：パネル受け台、２６：外壁パネル、Ｆ：地盤コンクリート層、Ｇ：基礎砕石層、Ｈ：捨てコンクリート層、Ｉ：基礎コンクリート層、Ｊ：地盤砕石層、Ｋ：コンクリート基礎、Ｌ：床。
【図１】
0003150342.tif 000003
【図２】
0003150342.tif 000004
【図３】
0003150342.tif 000005
【図４】
0003150342.tif 000006
【図５】
0003150342.tif 000007
【図６】
0003150342.tif 000008